(57)【要約】【課題】航空機が備えるエンジン等の装置の制御システムにおいて、制御の信頼性を向上させること。【解決手段】航空機のエンジン１１を制御するエンジン制御システム１０は、制御演算を行う演算処理部３３、および、制御に用いられるセンサ２０またはアクチュエータ２１に発生した異常が演算処理部３３により検知されたことを示す異常検知情報を記憶する第１記憶部３２１を有するＦＡＤＥＣ３０を備える。異常検知情報は、エンジン１１が停止されても、第１記憶部３２１をクリアしないために、消去されずに継続して第１記憶部３２１に記憶される。したがって、異常検知情報を参照することにより、異常が検知された信頼性の低い機器を制御に用いることを避けられる。【選択図】図１
2015040510.tif 000002
【特許請求の範囲】
【請求項１】
航空機のエンジンを制御する制御システムであって、
制御演算を行う演算処理部、および、制御に用いられる機器に発生した異常が前記演算処理部により検知されたことを示す異常検知情報を記憶する記憶装置を有する制御コンピュータを備え、
前記異常検知情報は、前記エンジンが停止されても消去されずに継続して前記記憶装置に記憶される、
ことを特徴とする制御システム。
【請求項２】
前記記憶装置は、揮発性を有し、
前記異常検知情報は、前記エンジンが停止されても、前記制御コンピュータの電源がオンである限り、消去されずに前記記憶装置に保存される、
請求項１に記載の制御システム。
【請求項３】
前記記憶装置は、不揮発性を有し、
前記異常検知情報は、前記制御コンピュータの電源オフに伴って前記記憶装置への通電が断たれても消去されずに継続して記憶される、
ことを特徴とする請求項１に記載の制御システム。
【請求項４】
前記制御演算に検出信号が用いられる前記機器としてのセンサと、
前記制御演算の結果に基づいて動作される前記機器としてのアクチュエータと、を備え、
前記センサおよび前記アクチュエータの少なくとも一方についての前記異常検知情報が前記記憶装置に記憶される、
ことを特徴とする請求項１から３のいずれか一項に記載の制御システム。
【請求項５】
航空機に搭載される制御対象を制御する制御システムであって、
制御演算を行う演算処理部、および、制御に用いられる機器に発生した異常が前記演算処理部により検知されたことを示す異常検知情報を記憶する記憶装置を有する制御コンピュータを備え、
前記異常検知情報は、前記制御対象の作動が停止されても消去されずに継続して前記記憶装置に記憶される、
ことを特徴とする制御システム。
【請求項６】
航空機のエンジンの制御に用いられるコンピュータプログラムであって、
当該コンピュータプログラムに基づいて制御演算を行う演算処理部により、前記制御に用いられる機器に発生した異常が検知されたことを示す異常検知情報を記憶装置に、前記エンジンが停止されても消去することなく、継続して記憶させる、
ことを特徴とするコンピュータプログラム。
【発明の詳細な説明】
【技術分野】
【０００１】
本発明は、航空機の例えばエンジンを制御する制御システム、およびコンピュータプログラムに関する。
【背景技術】
【０００２】
航空機のエンジンは、ＦＡＤＥＣ（Full Authority Digital Engine Control）と呼ばれる制御コンピュータにより制御される。
ＦＡＤＥＣは、エンジンを安全、燃費の観点から最適な性能が得られるように制御する。
ＦＡＤＥＣは、内蔵するプログラムに基づいて、各種センサから受け取った検出信号を用いて演算を行い、エンジンや周辺装置を動作させるための指令を出す。一方で、ＦＡＤＥＣは、制御システムが備えるセンサに異常が生じると、異常を検知する。異常の検知方法は、例えば特許文献１に記載されている。
【先行技術文献】
【特許文献】
【０００３】
【特許文献１】特表２０１２−５１０５８５号公報
【発明の概要】
【発明が解決しようとする課題】
【０００４】
ＦＡＤＥＣは、センサの異常を検知すると、当該センサに異常が検知されたことを示す異常検知フラグをメモリに書き込む。このフラグを参照すれば、異常が検知されたセンサからの検出信号を制御に用いることを避けられる。
しかしながら、エンジンが停止されると、ＦＡＤＥＣは、プログラムを除いて、メモリ内容を全て消去する。このときに異常検知フラグも消去されてしまう。また、ＦＡＤＥＣの電源が切られることによってメモリへの通電が断たれた場合も、異常検知情報が消去されてしまう。
そのため、異常フラグを制御の信頼性向上のために活用することができない。
【０００５】
本発明は、航空機が備えるエンジン等の装置の制御システムにおいて、制御の信頼性を向上させることを目的とする。
【課題を解決するための手段】
【０００６】
航空機のエンジンを制御する本発明の制御システムは、制御演算を行う演算処理部、および、制御に用いられる機器に発生した異常が演算処理部により検知されたことを示す異常検知情報を記憶する記憶装置を有する制御コンピュータを備え、異常検知情報は、エンジンが停止されても消去されずに継続して記憶装置に記憶されることを特徴とする。
異常検知情報は、制御システムが備える制御コンピュータで実行されるプログラムにより、記憶装置に継続して記憶させることができる。
本発明では、エンジンが停止されても異常検知情報が記憶装置に継続的に記憶されるので、異常検知情報を参照することにより、異常が検知された信頼性の低い機器を制御に用いることを避けられる。そして、異常が検知されていない機器のみを使用してエンジンを制御することができるので、エンジン制御の信頼性を向上させることができる。
【０００７】
本発明の制御システムにおいて、記憶装置は、揮発性を有し、異常検知情報は、エンジンが停止されても、制御コンピュータの電源がオンである限り、消去されずに記憶装置に保存されることが好ましい。
本発明では、記憶装置が不揮発性でなくても、エンジン停止時に制御コンピュータの電源がオンである限り、記憶内容をクリアせず異常検知情報を記憶装置に保存する。
そうすると、前回のエンジン稼動終了時までに異常が検知された機器について、次回のエンジン始動時以降に、再度、異常が検知されるのを待つことなく、異常検知情報に基づいて、異常が検知された機器を把握することができる。そして、異常が検知されていない機器のみを使用してエンジンを制御することができる。
【０００８】
本発明の制御システムでは、記憶装置は、不揮発性を有し、異常検知情報は、制御コンピュータの電源オフに伴って記憶装置への通電が断たれても消去されずに継続して記憶されることが好ましい。
そうすると、制御コンピュータの電源を投入して起動させてから、前回のコンピュータ稼動終了時までに異常が検知された機器について、次回のコンピュータ始動時以降に、再度、異常が検知されるのを待つことなく、異常検知情報に基づいて、異常が検知された機器を把握することができる。そして、異常が検知されていない機器のみを使用してエンジンを制御することができる。
【０００９】
異常検知された機器の修理や交換などの整備は、異常検知情報に基づいて行うことができるが、機器の整備を制御コンピュータの電源がオンの状態で行うことが難しい場合がある。
その場合は、記憶装置を不揮発性のものとし、制御コンピュータの電源を投入した際に前回のコンピュータ稼動時までに異常が検知された機器の異常検知情報を引き継ぐことが、制御の信頼性を向上させる上で有効である。
【００１０】
本発明の制御システムは、制御演算に検出信号が用いられる機器としてのセンサと、制御演算の結果に基づいて動作される機器としてのアクチュエータと、を備えるように構成することができる。この場合、センサおよびアクチュエータの少なくとも一方についての異常検知情報を記憶装置に記憶させることができる。
【００１１】
航空機に搭載される本発明の制御システムは、制御演算を行う演算処理部、および、制御に用いられる機器に異常が検知されたことを示す異常検知情報を記憶する記憶装置を有する制御コンピュータを備え、異常検知情報は、制御対象の作動が停止されても消去されずに継続して記憶装置に記憶されることを特徴とする。
本発明では、制御対象の作動が停止されても異常検知情報が記憶装置に継続的に記憶されるので、異常検知情報を参照することにより、異常が検知された信頼性の低い機器を制御に用いることを避けられる。そして、異常が検知されていない機器のみを使用して制御対象を制御することができるので、制御の信頼性を向上させることができる。
【００１２】
航空機のエンジンの制御に用いられる本発明のコンピュータプログラムは、当該コンピュータプログラムに基づいて制御演算を行う演算処理部により、制御に用いられる機器に異常が検知されたことを示す異常検知情報を記憶装置に、エンジンが停止されても消去することなく、継続して記憶させることを特徴とする。
このコンピュータプログラムによれば、エンジンが停止されても異常検知情報が記憶装置に継続的に記憶されるので、異常検知情報を参照することにより、異常が検知された信頼性の低い機器を制御に用いることを避けられる。そして、異常が検知されていない機器のみを使用してエンジンを制御することができるので、エンジン制御の信頼性を向上させることができる。
【発明の効果】
【００１３】
本発明によれば、航空機に搭載される制御システムの信頼性を向上させることができる。
【図面の簡単な説明】
【００１４】
【図１】本発明の第１実施形態に係る航空機に搭載されるＦＡＤＥＣの概略構成を示すブロック図である。
【図２】ＦＡＤＥＣが備えるセンサおよびアクチュエータを示す模式図である。
【図３】本発明の第２実施形態に係る航空機に搭載されるＦＡＤＥＣの概略構成を示すブロック図である。
【発明を実施するための形態】
【００１５】
以下、添付図面を参照しながら、本発明に係る実施形態について説明する。
〔第１実施形態〕
図１に示すエンジン制御システム１０は、航空機のエンジン１１の制御に用いられる。
エンジン制御システム１０は、電気系統１２および油圧系統１３と、これら電気系統１２および油圧系統１３を介してエンジン１１を電子的に制御する制御コンピュータであるＦＡＤＥＣ３０とを備える。
ＦＡＤＥＣ３０は、エンジン１１に関して始動、加速、定常、減速、停止といった動作モードを有しており、パイロットがエンジン１１のスロットルレバー１７を操作して動作モードを選択すると、安全や燃費の観点で最適な性能が得られるようにエンジン１１を制御する。
ＦＡＤＥＣ３０は、航空機が備える複数のエンジン１１の各々を制御するように構成される。
【００１６】
ＦＡＤＥＣ３０は、フライトに際して電源が投入されることで起動される。電源投入は、電源スイッチ１５の操作などにより行える。ＦＡＤＥＣ３０の電源投入に伴ってエンジン制御システム１０の各部が起動される。
エンジン１１は、ＦＡＤＥＣ３０に接続される始動スイッチ１６を操作することで始動される。ＦＡＤＥＣ３０は、エンジン１１を制御しながら、フライト終了まで稼働される。ＦＡＤＥＣ３０の電源をオフとすると、エンジン制御システム１０の全体が稼働停止する。
【００１７】
ＦＡＤＥＣ３０は、エンジン１１の周辺装置として、図示しない点火装置および燃料制御装置制御する。これらの装置とエンジン１１が、電気系統１２および油圧系統１３により動作される。
【００１８】
電気系統１２は、各種のセンサおよび各種のアクチュエータを備える。
油圧系統１３も、各種のアクチュエータおよび各種のセンサを備える。
これらのセンサおよびアクチュエータは、エンジン１１の運転状況に応じて選択的に用いられる。
【００１９】
電気系統１２または油圧系統１３に属する各種のセンサ２０およびアクチュエータ２１を図２に示す。電気系統１２および油圧系統１３の各々は、冗長性を持たせるために、第１系統２５および第２系統２６という二つの同じ系統を二重に備えており、センサ２０およびアクチュエータ２１は、第１系統２５および第２系統２６の各々に設けられる。
エンジン１１の回転数を検出するセンサ２０、エンジン１１の各部の温度を検出するセンサ２０、燃料計量弁の開度を検出するセンサ２０、などが、第１系統２５および第２系統２６の各々に設けられる。
また、エンジン１１の燃料計量弁を開閉させるアクチュエータ２１、エンジン１１の静翼を駆動するアクチュエータ２１なども、第１系統２５および第２系統２６の各々に設けられる。
上記に挙げたセンサ２０およびアクチュエータ２１は一例であり、多数のセンサ２０およびアクチュエータ２１が存在する。
【００２０】
第１系統２５および第２系統２６の各々に設けられるセンサ２０は、構造および機能が同じであり、両者が正常な場合は、相互に代替可能とされる。これらの２つのセンサ２０には、異なるＩＤ（Identifier）が与えられる。
２つのセンサ２０のうちの一方あるいは両方の検出信号が、ＦＡＤＥＣ３０により取得され、制御演算に用いられる。
また、第１系統２５および第２系統２６の各々に設けられるアクチュエータ２１も、構造および機能が同じであり、両者が正常な場合は、相互に代替可能とされる。これらの２つのアクチュエータ２１にも、異なるＩＤ（Identifier）が与えられる。
２つのアクチュエータ２１のうちの一方が、ＦＡＤＥＣ３０による演算結果に基づいて動作する。
【００２１】
ＦＡＤＥＣ３０は、入出力部３１と、データを記憶する記憶部（Memory）３２と、ＣＰＵ（Central Processing Unit）などで構成された演算処理部３３とを備えており、ＥＣＵ（Engine Control Unit）とも呼ばれる。
ＦＡＤＥＣ３０は、さらに、エンジン１１の制御状況、動作モード、操作コマンドなどを表示するための信号を出力する出力装置と、操作コマンドを選択するための入力装置とを備える。これら出力装置および入力装置の図示は省略する。
【００２２】
入出力部３１は、航空機の操縦や運行を制御する図示しない基幹システムとの間で通信を行う。また、センサ２０による検出信号や、スロットルレバー１７の位置信号を受け付け、また、アクチュエータ２１用の駆動回路へと制御信号を出力する。
【００２３】
記憶部３２は、ＲＡＭ（Random Access Memory）等の揮発性の記憶装置である第１記憶部３２１と、ＥＥＰＲＯＭ（Electrically Erasable Programmable Read-Only Memory）等の不揮発性の記憶装置であるＲＯＭ３２０とを備える。
第１記憶部３２１は、ＲＯＭ３２０から読み込まれるエンジン制御用ソフトウェアとしてのコンピュータプログラム（以下、プログラムという）およびそのプログラムで用いるデータ、演算に用いるセンサ２０の値などを記憶する。
【００２４】
第１記憶部３２１は通電される間のみデータを記憶するのが一般的である。ここにはＦＡＤＥＣ３０の起動時にＲＯＭ３２０から読み込んだプログラムや、プログラム作動の結果演算される計算値のほか、センサ２０またはアクチュエータ２１に異常が検知されたことを示す異常検知情報、その他のデータが記憶される。
これに対して、ＲＯＭ３２０は、不揮発性であるため、ＦＡＤＥＣ３０の電源オフに伴って通電が断たれても、データを記憶し続ける。
ＲＯＭ３２０は、ＦＡＤＥＣ３０の起動時の初期化に必要なデータや、プログラム等を出荷前から記憶する。
【００２５】
演算処理部３３は、プログラムに基づいて動作する。
演算処理部３３は、基幹システムから通知されるエンジン動作状況、電気系統１２のセンサ２０からの検出信号、電気系統１２を通じて得られる油圧系統１３のセンサ２０からの検出信号、およびスロットルレバー１７の位置信号などに基づいて演算を行う。そして、演算結果に基づいて電気系統１２および油圧系統１３の各種のアクチュエータ２１を動作させるための制御信号を出す。制御信号は、アクチュエータ用駆動回路に送られ、その駆動回路によってアクチュエータ２１が駆動される。アクチュエータ用駆動回路は電気系統１２またはＦＡＤＥＣ３０に設けられる。
演算処理部３３は、センサ２０からの検出信号を用いて演算を行い、演算結果に基づいて、アクチュエータ２１を動作させるための制御信号を出す。
【００２６】
演算処理部３３は、プログラムに基づいて、故障などに起因するセンサ２０やアクチュエータ２１の異常を検知する。
演算処理部３３は、センサ２０またはアクチュエータ２１の異常を検知すると、必要に応じて、メッセージを表示するための信号を出力する。
そして、演算処理部３３は、異常が検知されたセンサ２０またはアクチュエータ２１についての異常検知情報を第１記憶部３２１に記憶させる。
異常検知情報は、異常が検知されたセンサ２０またはアクチュエータ２１を特定できるように、センサ２０やアクチュエータ２１に対応付けて構成される。本実施形態の異常検知情報には、異常が検知されたセンサ２０またはアクチュエータ２１のＩＤが含まれる。ＩＤの他に、異常が検知された日時等が含まれていてもよい。異常検知情報は任意に構成することができる。
演算処理部３３がセンサ２０やアクチュエータ２１の異常を検知する方法は任意である。例えば、外気温データに関し、機体に設けた複数の外気温センサにより検出された値の平均値を演算しているとする。このような場合に、複数の外気温センサのうちのあるセンサの検出値が他のセンサの検出値に対して閾値を超えていれば、閾値を超える値が検出されたセンサに異常が生じたものと扱うことができる。
演算処理部３３は、センサ２０またはアクチュエータ２１の異常が検知される度に、異常検知情報を第１記憶部３２１に記憶させる。異常検知情報は、第１記憶部３２１に蓄積される。
【００２７】
演算処理部３３は、センサ２０の検出信号を制御に用いようとするとき、プログラムに基づいて、第１記憶部３２１の異常検知情報を参照する。そして、当該センサ２０に与えられたＩＤを含む異常検知情報が存在するかどうかを確認する。ＩＤは、二重化されたセンサ２０，２０に別個に与えられるので、それらのセンサ２０，２０の両方のＩＤについて確認する。
第１記憶部３２１に、確認対象のＩＤの異常検知情報が存在すれば、そのＩＤが与えられたセンサ２０の検出信号を制御演算には用いずに、正常なもう一方のセンサ２０の検出信号を制御演算に用いる。
両方のセンサ２０，２０について異常が検知され、それぞれのＩＤを含む異常検知情報が存在する場合は、それら両方のセンサ２０，２０のいずれの検出信号も制御に用いない。
もし、多数のセンサ２０において、二重化されたものの両方に異常が検知された場合は、デフォルトの設定値を使ってエンジン１１の運転を継続させることができる。それでもエンジン１１の運転を継続させることが難しい状況となれば、メッセージ表示や警告音などを通じてパイロットにエンジン１１の停止を促す。エンジン１１を停止しても、残りのエンジン１１により飛行を継続できる。
【００２８】
アクチュエータ２１の異常が検知された場合も、センサ２０の場合と同様に処理する。
演算処理部３３は、演算結果に基づいてアクチュエータ２１を動作させようとするとき、プログラムに基づいて、第１記憶部３２１の異常検知情報を参照する。そして、当該アクチュエータ２１に与えられたＩＤを含む異常検知情報が存在するかどうか、二重化されたアクチュエータ２１，２１の両方のＩＤについて確認する。
第１記憶部３２１に、確認対象のＩＤの異常検知情報が存在すれば、そのＩＤが与えられたアクチュエータ２１を動作させずに、正常なもう一方のアクチュエータ２１を動作させ、両方のアクチュエータ２１，２１について異常が検知され、それぞれのＩＤを含む異常検知情報が存在する場合は、それら両方のアクチュエータ２１，２１のいずれも動作させない。
多数のアクチュエータ２１において、二重化されたものの両方に異常が検知された場合も、センサ２０の場合と同様に処理することができる。
【００２９】
また、異常検知情報は、一般にＲＯＭ３２０よりも読み出し速度が速い第１記憶部３２１に記憶される。これにより、演算処理を高速化し、制御の応答性を向上させることができる。
【００３０】
異常検知情報は、エンジン１１の運転、停止とは関係なく、第１記憶部３２１に継続的に記憶される、始動スイッチ１６をオフした際も第１記憶部３２１から消去（リセット）されない。異常検知情報と同様、第１記憶部３２１に読み込まれたプログラム、各種計算値も始動スイッチ１６をオフした際に第１記憶部３２１から消去されない。
したがって、始動スイッチ１６をオフにしてパイロットが能動的にエンジン１１を停止させたり、例えば、エンジン１１内に暴風雨が吹き込んだためにエンジン１１が停止したとしても、異常検知情報が第１記憶部３２１から消去されることはない。
すなわち、エンジン１１の停止時にＦＡＤＥＣ３０の電源がオンである限り、記憶内容をクリアせず異常検知情報を第１記憶部３２１に保存する。
そうすると、前回のエンジン運転終了時までに異常が検知されたセンサ２０やアクチュエータ２１を、次回のエンジン始動時以降に、再度、異常が検知されるのを待つことなく、第１記憶部３２１の異常検知情報に基づいて演算処理部３３が知ることとなる。
【００３１】
本実施形態によれば、センサ２０またはアクチュエータ２１に異常が検知されると、以後は、異常検知情報に基づいて、異常が検知されたセンサ２０またはアクチュエータ２１を使うことなく、信頼性を有するセンサ２０およびアクチュエータ２１のみを使用してエンジン１１を制御することができる。
これにより、エンジン１１の制御が暴走したり、エンジンが故障した場合に故障の検出が遅れたり、エンジン１１の突然の機能喪失を起こすおそれがない、安定した確実なエンジン制御を行うことができる。
【００３２】
上述のように、第１記憶部に記憶された異常検知情報が、エンジン１１の停止時に消去されなければ、ＦＡＤＥＣ３０が通電する間は、異常検知情報に基づいて、信頼性が低いセンサやアクチュエータを使用することを避けられるので、制御の信頼性を向上させる本発明の目的を遂げられる。
センサ２０やアクチュエータ２１の整備は、ＦＡＤＥＣ３０の電源を切らずに、異常検知情報を記憶する第１記憶部３２１を通電状態としたまま、異常検知情報に基づいて行うことができる。
本実施形態によれば、エンジン１１が停止されたときに第１記憶部３２１のデータが消去されないために、エンジン１１を迅速に再始動させることができるので、安定飛行に寄与できる。
【００３３】
ところで、第１記憶部３２１に異常検知情報が記憶されていると、エンジン１１の始動時に、プログラムに基づいて異常検知情報を参照し、異常検知情報に基づいて始動可能か否かが判断される場合には、エンジン１１を再始動できない可能性がある。しかし、複数あるエンジン１１のうち、一部のエンジン１１を欠いても、残りのエンジン１１により飛行を継続可能であるため、本実施形態では、エンジン１１を確実に再始動するために異常検知情報を消去することを推奨しない。本実施形態は、エンジン１１を不確実に再始動することよりも、異常が検知されていないセンサ２０およびアクチュエータ２１のみを用いて信頼性の高い制御を行うことを重視する。
【００３４】
〔第２実施形態〕
次に、図３を参照し、本発明の第２実施形態について説明する。
第２実施形態は、異常検知情報を揮発性の第１記憶部３２１に記憶させるのではなく、不揮発性の第２記憶部３２２に記憶させる点が第１実施形態とは相違し、その他の点は第１実施形態と同様である。第１実施形態と同じ構成には同じ符号を付している。
【００３５】
ＦＡＤＥＣ３０は、ＲＯＭ３２０と、揮発性の第１記憶部３２１と、ＥＥＰＲＯＭ（Electrically Erasable Programmable Read-Only Memory）等の不揮発性の記憶装置である第２記憶部３２２とを備える。
第２記憶部３２２としては、フラッシュメモリ、ＦｅＲＡＭ（強誘電体メモリ）、ＰＲＡＭ（登録商標）（相変化メモリ）、ＲＲＡＭ（登録商標）（抵抗メモリ）、ＥＥＰＲＯＭ（Electrically Erasable Programmable Read-Only Memory）等の半導体メモリや、ハードディスク等の磁気記憶装置、および光ディスクなど、記憶方式を問わず、通電が断たれてもデータを保持する記憶装置を広く用いることができる。
【００３６】
第２記憶部３２２は不揮発性であるため、ここに記憶される異常検知情報は、ＦＡＤＥＣ３０の電源オフに伴って第２記憶部３２２への通電が断たれても消去されることなく、第２記憶部３２２に継続的に記憶される。
異常検知情報は、プログラムに用意された異常検知情報の消去コマンドを実行しない限り、消去されない。
したがって、次のフライトの際にＦＡＤＥＣ３０を起動すると、第２記憶部３２２の異常検知情報に基づいて起動当初から、異常が検知されたセンサ２０やアクチュエータ２１を演算処理部３３が知ることとなる。
つまり、ＦＡＤＥＣ３０の電源を投入して起動させてから、以前のフライトまでに異常が検知されたセンサ２０やアクチュエータ２１について再度、異常が検知されるのを待つことなく、第２記憶部３２２の異常検知情報に基づいて、異常が検知されたセンサ２０やアクチュエータ２１を把握することができる。
【００３７】
そのため、異常検知情報を参照することにより、異常が検知された信頼性の低いセンサ２０やアクチュエータ２１を制御に用いることを避けられる。そして、異常が検知されていないセンサ２０およびアクチュエータ２１のみを使用してエンジン１１を制御することができるので、エンジン制御の信頼性を向上させることができる。
【００３８】
異常検知情報は、異常が検知されたセンサ２０またはアクチュエータ２１を異常検知情報に基づいて整備した後、ＦＡＤＥＣ３０の入力装置を操作することにより、あるいは、ＦＡＤＥＣ３０に接続した整備用のコンピュータを操作することによって消去することができる。
異常検知情報を第２記憶部３２２から消去する前に、整備用のコンピュータによって異常検知情報を読み出し、整備用コンピュータの不揮発性のメモリに異常検知情報の履歴として保存することもできる。
【００３９】
上記各実施形態において、センサ２０およびアクチュエータ２１のいずれか一方のみについて、異常検知情報を記憶することもできる。
また、異常検知情報を記憶する機器として、センサ２０およびアクチュエータ２１以外の機器も対象とすることができる。
【００４０】
記憶装置には、センサ２０やアクチュエータ２１の異常検知情報に加えて、エンジン１１の制御や制御品質の向上のために利用したい他の情報を継続的に記憶させることもできる。
例えば、実行されたＦＡＤＥＣ３０の制御コマンドを記憶装置に蓄積しておけば、記憶装置のデータ内容を解析することにより、制御品質向上に役立てることができる。
【００４１】
上記実施形態に示したエンジン制御システム１０の構成は、一例に過ぎず、種々の改変が許容される。
また、本発明は、ＦＡＤＥＣ３０を備えるエンジン制御システム１０の他にも、航空機が備える装置（制御対象）を制御しながら、制御に用いるセンサ等の機器について異常検知情報を記憶する制御システムに適用することができる。
その制御システムは、制御対象に応じて種々の形態に構成することができ、油圧系統の一部または全部がない場合もありうる。
その制御システムにおいて、異常検知情報を記憶する記憶装置に不揮発性のものを使用することにより、記憶装置への通電が断たれたときに異常検知情報が消去されない。そのため、異常検知情報を参照することにより、異常が検知されたセンサ等の機器を制御に用いることを避けることができる。
また、不揮発性の記憶装置を使用しない場合でも、制御対象が作動停止時に制御コンピュータの電源がオンで、かつメモリをリセットしていなければ、次回の制御対象の作動時に、異常が検知されたセンサ等の機器を制御に用いることを避けることができる。
【００４２】
上記以外にも、本発明の主旨を逸脱しない限り、上記実施形態で挙げた構成を取捨選択したり、他の構成に適宜変更することが可能である。
【符号の説明】
【００４３】
１０        エンジン制御システム
１１        エンジン
１２        電気系統
１３        油圧系統
１５        電源スイッチ
１６        始動スイッチ
１７        スロットルレバー
２０        センサ（機器）
２１        アクチュエータ（機器）
２５        第１系統
２６        第２系統
３０        ＦＡＤＥＣ（制御コンピュータ）
３１        入出力部
３２        記憶部
３３        演算処理部
３２０      ＲＯＭ
３２１      第１記憶部
３２２      第２記憶部
【図１】
2015040510.tif 000003
【図２】
2015040510.tif 000004
【図３】
2015040510.tif 000005